(57)【特許請求の範囲】
【請求項１】
セル集合体である電池モジュールと、該電池モジュール内に電池反応後のアノードガスとカソードガスとを混合して燃焼を行うための燃焼室とを備え、該燃焼室で燃焼した燃焼ガスの熱エネルギーを利用して該電池モジュールのカソードへ供給する空気を予熱する第一の熱交換器と、該第一の熱交換器を通過した該燃焼ガスの熱エネルギーを利用して原燃料を改質する改質部とを備えた固体酸化物形燃料電池発電システムであって、該第一の熱交換器の空気側出口部に予熱された該空気の温度を調整するための予熱空気温度調節部を設置し、該第一の熱交換器の燃焼ガス側出口に該空気を予熱した後の該燃焼ガスの温度を調整するための燃焼ガス温度調節部を設置したことを特徴とする固体酸化物形燃料電池発電システム。
【請求項２】
前記第一の熱交換器の前記空気側入口に導入する空気を、予熱されるべき所定の流量に制御するための制御手段を備えたことを特徴とする請求項１記載の固体酸化物形燃料電池発電システム。
【請求項３】
前記予熱空気温度調節部が、予熱された前記空気と空気冷却用媒体とが熱交換する第二の熱交換器であり、前記燃焼ガス温度調節部が、前記空気を予熱した後の前記燃焼ガスと燃焼ガス冷却用媒体とが熱交換される第三の熱交換器であることを特徴とする請求項１または２に記載の固体酸化物形燃料電池発電システム。
【請求項４】
前記空気冷却用媒体および前記燃焼ガス冷却用媒体が空気であることを特徴とする請求項３記載の固体酸化物形燃料電池発電システム。
【請求項５】
前記第一の熱交換器、前記第二の熱交換器および前記第三の熱交換器を一体化した構造とすることを特徴とする請求項１〜４のいずれかに記載の固体酸化物形燃料電池発電システム。
【請求項６】
少なくとも前記電池モジュールのセル温度計測値、前記第二の熱交換器の出口の予熱空気温度計測値および前記カソードへ供給する空気の流量計測値に基づいて、前記空気冷却用媒体の流量を調節するセル温度制御手段と、少なくとも前記改質部の温度計測値、前記燃焼ガス温度調節部の出口の燃焼ガス温度計測値および前記カソードへ供給する空気の流量計測値に基づいて、前記燃料ガス冷却用媒体の流量を調節する改質温度制御手段とを備えたことを特徴とする請求項１〜５のいずれかに記載の固体酸化物形燃料電池発電システム。
【請求項７】
前記セル温度制御手段が、少なくとも前記電池モジュールのセル温度計測値、および前記第二の熱交換器の出口の予熱空気温度計測値を用いた演算処理による推定に基づいて、前記空気冷却用媒体の流量を制御し、前記改質温度制御手段が、少なくとも前記改質部の温度計測値、前記燃焼ガス温度調節部の出口の燃焼ガス温度計測値を用いた演算処理による推定に基づいて、前記燃焼ガス冷却用媒体の流量を制御することを特徴とする請求項３〜５のいずれかに記載の固体酸化物形燃料電池発電システム。
【請求項８】
前記カソードへ供給する空気の一部を、前記第一の熱交換器を通さずにバイパスさせる空気流路と、該空気流路に流量調節弁とを設置し、前記改質温度制御手段が該空気流路の該流量調節弁の制御を行うことを特徴とする請求項６または７に記載の固体酸化物形燃料電池発電システム。
【請求項９】
前記空気冷却用媒体および前記燃焼ガス冷却用媒体が、前記第二の熱交換器および前記第三の熱交換器で熱交換した後、熱回収されることを特徴とする請求項１〜８のいずれかに固体酸化物形燃料電池発電システム。
【請求項１０】
前記改質部を出た前記燃焼ガスと水とを熱交換し、該水から温水および／または水蒸気に生成する排熱回収熱交換器を備え、前記第二の熱交換器および前記第三の熱交換器を出た前記空気冷却用媒体および前記燃焼ガス冷却用媒体が該排熱回収熱交換器の上流側で前記燃焼ガスと混合された後、該排熱回収熱交換器に導かれることを特徴とする請求項９記載の固体酸化物形燃料電池発電システム。
【発明の詳細な説明】
【技術分野】
【０００１】
本発明は、燃料電池発電システムおよびその温度制御に関する。
【背景技術】
【０００２】
クリーンで高効率な分散電源の一つとして、燃料電池発電システムが注目されている。特に、９００℃前後の高温で作動する多数のセル集合体で構成された固体酸化物形燃料電池発電システムは、業務用から産業用など適用範囲が広く、将来の電源あるいは熱電併給システムとして多分野で期待されている。
【０００３】
しかしながら、このような適用分野においては、一般に出力変動が激しく、システムに対して高頻度かつ大幅な出力変更が要求されるため、システムの耐久性やセル性能を維持する上で、セル温度を安定に保つことが極めて重要な課題となっている。
【０００４】
固体酸化物形燃料電池発電システムは、固体電解質の一方の側に空気極を、他方の側に燃料極を設けた単セルを多数重ね合わせるか、あるいは、つなぎ合わせるかした集合体（モジュール）で構成され、空気極（カソード）側に供給された空気中の酸素がイオン化され、電解質をイオン伝導することによって燃料極（アノード）に達し、アノード側に供給された水素と反応することにより起電力を発生する仕組みを利用したものである。この場合、アノードに直接水素を供給してもよいが、通常、都市ガス、液化天然ガス（ＬＮＧ）、プロパン、灯油などの炭化水素系燃料に蒸気を添加し、改質触媒を用いて原燃料を予め水素リッチな改質ガスに改質し、これを燃料としてアノードに供給する方法が一般的である。
【０００５】
固体酸化物形燃料電池は、セルが高温に保たれていることから、セル自体が改質能力を有している。このため、原燃料の改質方法としては、原燃料を直接、電池のアノード側に供給し、セル内部で改質する内部改質方式と、電池外部に改質触媒を内蔵した改質器を設けて、炭化水素の燃料の一部を改質器にて改質されたガスを電池に供給する外部改質方式とに区別される。
【０００６】
なお、改質反応は、大きな吸熱現象を伴うため、セルの温度保持やセルの温度分布均一化の観点から、炭化水素の一部を予め改質してセル内部での吸熱量の低減や吸熱量分布の緩和に適した、いわゆる内部改質方式と外部改質方式とを併用した改質方法が採用されるケースが多い。通常、改質器での原燃料の改質率は３０〜５０％程度とされている。
【０００７】
しかしながら、システムの温度変動により改質器温度が変動すると、この改質率も変動し、その結果、セル温度も変動することになる。例えば、改質率が上昇すると、セルに供給された燃料の改質による吸熱量が減少するため、セル温度は上昇する。この逆もあり得る。したがって、過度の改質率の変動は、セルの過熱や温度低下を生じ、耐久性や発電性能の低下という問題を引き起こす。
【０００８】
ところで、出力変動時には、セル自体の発熱量が変動するのみでなく、アノードから排出される未反応燃料ガスの燃焼エネルギーも変動する。通常、上記改質器はこの熱エネルギーを使用する。また、カソード側に供給する空気も空気予熱器により上記燃焼エネルギーの一部を利用して予熱される。このため、出力変動は改質器温度（改質率）とセル入口空気温度とに影響を与えることから、システム全体としては複雑な温度変動を呈することになる。
【０００９】
以上で述べたように、システムの温度変動は出力変動時に起きやすく、温度安定化は運転制御において、最も重要な課題の一つとされている。
【００１０】
固体酸化物形燃料電池発電システムのセル温度制御に関わる第１の従来例として、特許文献１に記載された方法がある。この方法は、セル温度の安定化を目的として、計測した電流値に基づいてカソードに供給する空気の温度を調整することで間接的にセル温度を制御するものである。
【００１１】
また、第２の従来例として、特許文献２に記載された方法がある。この方法は、セル温度の安定化を目的として、計測したセル温度に基づいてカソードに供給する空気流量もしくは空気温度を調整するものである。
【００１２】
【特許文献１】特開２００４−３４９２１４号公報
【特許文献２】特開２００３−１１５３１５号公報
【発明の開示】
【発明が解決しようとする課題】
【００１３】
特許文献１の方法では、電流値、空気温度からセル温度を望ましい値に維持できるとしているが、セルおよびこれを支持する構造材は大きな熱容量を持つため、必ずしもセル温度を安定に制御できるとは限らない。
【００１４】
また、特許文献２の方法では、未反応燃料ガスの燃焼ガス（排ガス）を用いる空気予熱器の上流に位置する空気加熱器による空気温度調整もしくは空気供給装置による空気流量調整によりセル温度を望ましい値に維持できるとしている。しかし、排ガスエネルギーを利用した改質器を有するシステムに適用した場合のセル温度安定化を確保することはできない。
【００１５】
本発明が解決しようとする課題は、排ガスエネルギーを利用した改質器を有するシステムにおいて、セル温度の安定化を実現することにある。
【００１６】
上記従来例では、セル温度に大きな影響を及ぼす改質器の温度制御に関する記載はなく、空気流量によるセル温度制御では電池モジュールの持つ熱容量が大きいことに起因して、時間遅れによる改質率の変動が伴うことから、セル温度制御の応答性の面からの配慮がなされていなかった。
【００１７】
本発明の目的は、改質器を有するシステムでセル温度の安定化に関して、速やかで、かつ信頼性の高い温度制御方法およびシステムを提供することにある。
【課題を解決するための手段】
【００１８】
本発明の固体酸化物形燃料電池発電システムは、セル集合体である電池モジュールと、該電池モジュール内に電池反応後のアノードガスとカソードガスとを混合して燃焼を行うための燃焼室とを備え、該燃焼室で燃焼した燃焼ガスの熱エネルギーを利用して該電池モジュールのカソードへ供給する空気を予熱する第一の熱交換器と、該第一の熱交換器を通過した該燃焼ガスの熱エネルギーを利用して原燃料を改質する改質部とを備えた固体酸化物形燃料電池発電システムであって、該第一の熱交換器の空気側出口部に予熱された該空気の温度を調整するための予熱空気温度調節部を設置し、該第一の熱交換器の燃焼ガス側出口に該空気を予熱した後の該燃焼ガスの温度を調整するための燃焼ガス温度調節部を設置したことを特徴とする。
【発明の効果】
【００１９】
本発明によれば、出力変化を始めとする種々の運転条件や外乱に対し、改質率とカソード空気温度とを独立に制御できるため、信頼性の高いセル温度制御およびセル温度の安定化が可能となり、システムの耐久性を向上させ、発電性能を長期間維持することが可能となる。そのため、システムの固定費と運用費を低減することができる。
【発明を実施するための最良の形態】
【００２０】
本発明は、燃料電池発電システムおよびその温度制御に関するものであり、特に、改質器を有するシステムの高効率で安定した発電特性の維持を可能にする固体酸化物形燃料電池発電システム構成とその温度制御方法に関する。
【００２１】
本発明の目的は、改質器を有するシステムでセル温度の安定化に関して、速やかで、かつ信頼性の高い温度制御方法およびシステムを提供することにある。また、本発明の目的は、セルの温度制御に関し、様々な運転モードやシステムの温度変動に対しても、カソード空気ヘッダー入口温度および改質器入口燃焼ガス温度を独立に制御できるシステムを提供することにある。
【００２２】
本発明は、燃焼ガスの熱エネルギーを利用して電池モジュールのカソードへ供給する空気を予熱する熱交換器において、空気側入口には予熱されるべき流量の空気が導入され、空気側出口部には予熱された空気の温度を調整する予熱空気温度調節部が備わり、また、前記熱交換器の燃焼ガス側入口部には燃焼ガスが導入され、燃焼ガス側出口には熱交換後の燃焼ガスの温度を調整する燃焼ガス温度調節部を備えたことを特徴とする。
【００２３】
本発明の望ましい実施態様においては、前記予熱空気温度調節部は予熱された空気と冷却用媒体とが熱交換される熱交換器であり、また前記燃焼ガス温度調節部は前記熱交換後の燃焼ガスと冷却用媒体とが熱交換される熱交換器である。
【００２４】
なお、冷却用媒体は、空気に限らず、窒素ガス（パージ用でもよい）、水、ブラインなどでもよい。また、冷却用媒体の空気を、河川、海水、ＬＮＧなどの冷熱源で冷却して使用することもできる。
【００２５】
また、前記熱交換器の形態として熱交換器、予熱空気温度調節部および燃焼ガス温度調節部は一体化した構造であることが望ましい。
【００２６】
また、本発明は、少なくとも電池モジュールのセル温度計測値と、予熱空気温度調節部出口の予熱空気温度計測値および空気流量計測値とに基づき、前記予熱空気温度調節部を調節するセル温度制御手段と、少なくとも改質部の温度計測値と、燃焼ガス温度調節部出口の燃焼ガス温度計測値および空気流量計測値とに基づき、前記燃焼ガス温度調節部を調節する改質温度制御手段を備えたことを特徴とする。
【００２７】
上記の本発明の望ましい実施態様においては、前記セル温度制御手段は、前記セル温度と、予熱空気温度調節部出口の予熱空気温度計測値および空気流量計測値とを用いて、演算および推定に基づき、また、同じく改質温度制御手段は前記改質部の温度計測値と、燃焼ガス温度調節部出口の燃焼ガス温度計測値および空気流量計測値とを用いて、演算および推定に基づき、前記予熱空気温度調節部および燃焼ガス温度調節部の冷却用媒体の流量をそれぞれ調節することを特徴とする。
【００２８】
さらに、本発明は、前記熱交換器を通ってカソードへ供給される空気の一部が熱交換器を通らずにバイパスする空気系統と、それに付随する流量調節弁とが設けられ、さらに前記改質温度制御手段は前記バイパス流量を調節することを特徴とする。
【００２９】
以下、本発明による燃料電池システムおよび燃料電池システムの温度制御方法に関する詳細な実施形態について図面を用いて説明する。
【実施例１】
【００３０】
図１に本発明による燃料電池発電システムの構成の第一の実施例を示す。本発明の燃料電池発電システムは、アノード１およびカソード２を含む一対の電極により挟まれる固体電解質３で形成される円筒セル４（円筒型の発電セル）を多数集合し接続した電池モジュール５、原燃料６から水素を含む改質ガスを生成するプリ改質器７（改質部）、カソードに供給される空気８を予熱する空気予熱器９を主な要素として構成してある。
【００３１】
電池モジュール５は、プリ改質器７から出た部分改質ガス１０を電池モジュール５内の各セルに供給するための燃料ヘッダー１１と、カソード２出口における反応後の空気１２（カソードガスと呼ぶ）およびアノード１出口における反応後の燃料ガス１３（アノードガスと呼ぶ）を用いて燃焼を行う燃焼室１４と、前記空気予熱器９から予熱された空気１５をカソード２に供給するための空気ヘッダー１６とを含む構成となっている。
【００３２】
空気ヘッダー１６に入った空気１７は各円筒セル４に設けられた空気導入管１８を通してほぼ均一に分配され、空気導入管下端部１９まで予熱されながら下降し、Ｕターンしてセル内側のカソード面２に沿って反応しながら燃焼室１４に導かれる。燃料ヘッダー１１に入った部分改質ガス２０は燃料ヘッダー１１から均一に各セルのアノード１に供給され、反応しながら燃焼室１４に導かれる。なお、アノード１ではプリ改質器７からの部分改質ガス１０に含まれているメタンも改質され、水素や一酸化炭素を生成する。したがって、アノード１では電気化学反応によって水素が消費される一方で改質反応により水素も生成する。
【００３３】
燃焼室１４から発生する燃焼ガス２１Ａは、空気８を予熱する空気予熱器９を通って降温された燃焼ガス２３となり、プリ改質器７で原燃料６と熱交換した後、排ガス２２として系外に排出される。ここで、空気予熱器９は、予熱部２７、予熱空気温度調節部２８および燃焼ガス温度調節部２９を含むものと定義する。また、予熱部２７を第一の熱交換器と定義する。予熱空気温度調節部２８を第二の熱交換器と定義する。燃焼ガス温度調節部２９を第三の熱交換器と定義する。すなわち、空気予熱器９は、第一の熱交換器、第二の熱交換器および第三の熱交換器を一体化した構造としてもよい。
【００３４】
円筒セル４は、固体電解質３を挟んで外側のアノード１と内側のカソード２とを含む構成であり、外側のアノード１では、プリ改質器７の改質ガス流路部２４にて生成された部分改質ガス１０に含まれる水素と、セル内側のカソード２から電解質３を通して移動してきた酸素イオンとが反応し、水が生成する。カソード２では酸化剤である空気中の酸素が酸素イオンに変化する。
【００３５】
プリ改質器７は、改質触媒２５を配した改質ガス流路部２４と、燃焼室１４から空気予熱器９を経て供給される高温の燃焼ガス２３が流れる燃焼ガス流路２６とを含む構成である。
【００３６】
改質ガス流路部２は、配管を介して燃料ヘッダー１１に接続してある。改質ガス流路部２４においては、発電中、燃焼ガス２３からの熱を得て改質ガス流路２４内の改質触媒２５の触媒作用により、原燃料６であるメタンやプロパン、ブタン、エタンまたは他のＣ２以上の炭化水素が、熱分解してメタンを生成する。これが部分改質ガス１０である。さらに、水蒸気改質反応が起こる場合、部分改質ガス１０に含まれるメタンの一部が水素や一酸化炭素ガスに変化し、燃料ヘッダー１１を介してアノード１に送られる。この改質反応には、水蒸気が少なくとも体積流量比で炭化水素の２倍以上必要であり、プリ改質器７に導入される前に水蒸気として炭化水素と混合される。水蒸気が不足するとカーボン析出が生じ、改質触媒に悪影響を及ぼす。また、プリ改質器７の改質触媒２５の温度によって改質反応の進行度が決定され、４００℃〜７００℃の範囲では温度が高いほど改質反応が進行する。
【００３７】
空気予熱器９では、燃焼ガス２１Ａとカソード反応用の空気３１Ａとが熱交換し、予熱部２７において反応用空気８をおおよそ２５０℃〜４００℃の範囲で予熱する。予熱された空気３１Ｂは、予熱空気温度調節部２８で温度調節される。燃焼ガス温度調節部２９においては、熱交換後の燃焼ガス２１Ｂが温度調整されるようになっている。予熱部２７は、予熱空気流路部２７Ａと燃焼ガス流路部２７Ｂとが伝熱面２７Ｃを介して燃焼ガス側から予熱空気側に熱が供給される部分である。
【００３８】
通常、空気予熱器９は、室温状態の空気８をカソード２に供給する前に予熱し、セル温度が、特に空気入口付近で低下しないようにする働きをしている。これはセル温度の維持およびセル温度分布の適正化の観点から必要不可欠な構成要素である。さらに、空気予熱器９は、プリ改質器７で所定の改質率３０％〜５０％になるように、所定の温度５００℃〜５６０℃にまで燃焼室１４からの燃焼ガス２１Ａを冷却する作用も併せ持っている。すなわち、空気予熱器９は、予熱空気３０および燃焼ガス２３の温度を設計範囲内に制御する作用を有するものである。
【００３９】
しかしながら、実際の運転では、必ずしも設計通りの熱物質収支で運転が進行するとは限らない。セル性能の経時変化によるセル発熱量の変化、空気予熱器９自体の熱交換性能の変化、その他様々な外乱などの影響があるため、空気予熱器９に入ってくる空気８および燃焼ガス２１Ａの温度および流量が設計通りでなくても、セル温度を維持する必要が生じる。従来の空気予熱器では、設計点以外の温度は成り行きのままで、出口温度を自己調整する機能を持っていなかった。
【００４０】
本発明では、予熱部２７を出た予熱空気３１Ｂ、燃焼ガス２１Ｂそれぞれの温度を追加的に調節する機能が備わっている。すなわち、予熱空気温度調節部２８は、熱交換器の構造を有し、予熱された空気３１Ｂが通る流路内に冷却配管８０が備わり、予熱された空気３１Ｂと温度調節用の冷却用媒体（空気冷却用媒体、例えば、空気）が流れ、もし予熱後の空気３１Ｂの温度が設定値よりも高く、セル温度が設計範囲を超える可能性が出てきた場合には、予熱後の空気温度が設定値になるまで予熱後の空気を冷却する機能を有している。
【００４１】
同様に、燃焼ガス温度調節部２９も熱交換器の構造を有し、予熱部２７を出た燃焼ガス２１Ｂが通る流路内に冷却配管８１が備わり、熱交換後の燃焼ガス２１Ｂと温度調節用の冷却用媒体（燃焼ガス冷却用媒体、例えば、空気）が流れ、熱交換後の燃焼ガス２１Ｂの温度が設定値になるまで冷却する機能を有する。
【００４２】
もし、システム運転中に燃焼ガス２１Ｂの温度が設定値よりも高くなった場合、このまま放置しておくと改質器７の改質触媒２５の温度が高くなり、その結果、改質反応がより進むことになり、改質率が高くなる。改質率が高くなるということは改質器７を出る部分改質ガス１０に含まれる未反応のメタンの割合が設計値より少なくなることを意味する。
【００４３】
このような状態の部分改質ガス１０が燃料ヘッダー１１を経て円筒セル４に供給されると、電池モジュール５のアノード１入口側での未反応メタンによる改質反応が減少し、反応に伴う吸熱量も減少し、その結果、発熱量と吸熱量とのバランスが崩れ、セル温度が上昇に転じてしまうことになり、益々、燃焼ガス温度も高くなるという悪循環が生じる。これを断ち切るため、燃焼ガス２１Ｂの温度を燃焼ガス温度調節部２９にて調整、すなわち冷却により、セルの温度上昇を設計範囲内に制御する。
【００４４】
また、空気８は、空気予熱器９の上流側で分岐され、予熱器９をバイパスして空気予熱器９の出口側で予熱空気温度調節部２８を通過した予熱空気３０と合流するバイパス系統８２を有する。さらに、バイパス系統８２には流量調節弁８３を設置している。バイパス系統８２により空気ヘッダー１６を介してカソード２に供給される空気１５の流量を変えることなく、空気予熱器に供給する空気３１Ａの流量を調節することができる。
【００４５】
つぎに、このバイパス系統の働きについて説明を補足する。
【００４６】
カソード２に供給される空気８の流量は、運転出力やセル温度の状態によって変化する。しかし、もし設計値よりも燃焼ガス流量あるいは燃焼ガス温度が低い場合には、空気予熱器９にカソード２に供給する空気８が全量流れると、熱交換量が増えて燃焼ガス温度が所定温度以下に低下する場合が生じる。カソード２への供給空気量を減らせば、燃焼ガス温度の低下は抑制できるが、空気流量が変化することにより、円筒セル４の発熱量や燃焼ガス流量および温度が変化し、さらには、改質温度にも影響を及ぼすことになり、制御自体が非常に複雑になる。
【００４７】
本発明では、このような場合に、バイパス空気系統８２に空気を分岐することにより、空気予熱器９での燃焼ガスとの熱交換量を制御することができる。バイパス系統８２を流れる空気は、空気予熱器９を通過した予熱空気３１Ｂと合流して空気ヘッダー１６に送られる。カソード２に供給される空気流量は変化せず、空気ヘッダー１６の温度が変わるだけであり、燃焼ガス流量は変化しないため、改質温度の制御が比較的容易になる利点がある。バイパス流量はバイパス系統８２に設けられた流量調節弁８３の開度調整により制御されることになる。
【００４８】
つぎに、本発明のセル温度の制御方法について図２を用いて説明する。本発明の電池モジュール５の温度制御に係わる制御装置として、セル温度制御手段１００と改質温度制御手段２００とがある。セル温度制御手段１００は、予熱空気温度調節部２８出口の予熱空気温度検出器１０１、電池モジュール内の空気ヘッダー温度検出器１０２およびセル温度検出器１０３からの各出力信号Ｔａｒ、Ｔｈｄ、Ｔｃｅｌをそれぞれ入力する。ここで、Ｔａｒ、Ｔｈｄ、Ｔｃｅｌをそれぞれ、予熱空気温度計測値、空気ヘッダー温度計測値、セル温度計測値と呼ぶことにする。なお、セル温度検出器１０３の位置としては、本実施例において最も温度が高くなる傾向がある軸方向の中央に設置した。改質温度制御手段２００は、燃焼ガス温度調節部２９出口の燃焼ガス温度検出器２０１と、プリ改質器７内の改質触媒層出口部温度検出器２０２とからの出力信号Ｔｇ、Ｔｒｃをそれぞれ入力する。ここで、Ｔｇ、Ｔｒｃをそれぞれ、燃焼ガス温度計測値、改質触媒層出口部温度計測値と呼ぶことにする。本実施例では、Ｔｒｃを改質触媒層出口部で計測しているが、これに限定されるものではなく、改質触媒層の内部のどの位置で計測しても温度計測値として有効である。
【００４９】
セル温度制御手段１００では、セル温度の入力値Ｔｃｅｌと予め設定された基準セル温度ＴＲｃｅｌとの差ΔＴｃｅｌ（＝Ｔｃｅｌ−ＴＲｃｅｌ）を算出する。そして、セル温度制御手段１００は、ΔＴｃｅｌ、ＴｈｄおよびＴｃｅｌの他、空気ブロア１０６から現在流れている流量を検出する流量計１０４からの出力信号Ｆａｒｍ、バイパス系統８２を流れる空気流量を検出する流量計１０５からの出力信号Ｆａｒｂおよびその他の運転情報、例えば、燃料電池の出力電流、出力電圧などの信号を入力して演算し、それらの信号値から予熱空気温度調節部２８出口の温度および必要な冷却用媒体、すなわち冷却空気７０の流量の目標値を推定する。セル温度制御手段１００は、予熱空気温度調節部２８の冷却用媒体である冷却空気７０の供給元で、かつ流量調節器を有する冷却空気ブロア１０７に流量指令値ＦＣ１を送り、予熱空気温度調節部２８を流れる予熱空気３１Ｂの熱交換量を調節する。ΔＴｃｅｌが正の場合は、冷却空気７０の流量が増加する。逆に、ΔＴｃｅｌが負の場合は、冷却用媒体の流量が減少する。
【００５０】
また、セル温度制御手段１００は、空気８の供給元で、かつ流量調節器を有する空気ブロア１０６に流量指令値ＦＣ２を送り、空気８の供給量も調節できるようになっている。
【００５１】
つぎに、プリ改質器７の温度制御について説明する。
【００５２】
通常、改質温度すなわち改質触媒２５の出口温度は、プリ改質器７の燃焼ガス流路２６の入口部温度で制御される。本実施例では、燃焼ガス流路２６の入口部温度を燃焼ガス温度検出器２０１で検出し、改質温度制御手段２００が空気予熱器９の予熱部２７を通る予熱用空気３１Ａの流量を調節するようになっている。すなわち、改質温度制御手段２００は、改質器触媒層出口部温度の入力値Ｔｒｃと、予め設定された基準触媒層出口部温度ＴＲｒｃとの差、ΔＴｒｃ（＝Ｔｒｃ−ＴＲｒｃ）を算出する。燃焼ガス温度検出器２０１は、燃焼ガス温度調節部２９の出口近傍に設置してもよい。
【００５３】
そして、ΔＴｒｃと燃焼ガス温度検出器２０１からの出力信号であるＴｇとから、燃焼ガス温度調節部２９出口の温度検出器２０１の温度および予熱部２７を通過する空気３１Ａの流量の目標値を演算して推定する。さらに、空気３１Ａの流量の目標値と空気８の流量信号Ｆａｒｍとからバイパス系統８２に備わる流量調節弁８３の弁開度を演算して求め、開度指令値ＳＯを流量調節弁８３に出力する。ΔＴｒｃが正の場合は弁開度が絞られ、空気３１Ａの流量が増加し、予熱部２７での伝熱量が増え、燃焼ガス温度検出器２０１の温度は低下する方向に進む。逆に、ΔＴｒｃが負の場合は弁開度が広がり、空気３１Ａの流量が減少する。
【００５４】
通常の運転状態にあっては、燃焼ガス温度調節部２９において冷却用媒体である空気７１が流れることはほとんどない。また、その結果、空気予熱器９の予熱部２７を出る予熱空気３１Ｂの温度が高くなっても、セル温度制御手段１００からの指令により、先述したように予熱空気温度調節部２８の冷却空気７０を流すことにより冷却されることになるからである。
【００５５】
燃焼ガス温度調節部２９の冷却用媒体の空気７１が作動する場合は、燃焼室１４を出る燃焼ガス２１Ａの温度が高く、燃焼ガス流量が多い場合である。予熱部２７において燃焼ガス２１Ｂから予熱空気側に伝わる伝熱量には、熱交換器の設計上の限界があり、所定の流量の空気８を流しても燃焼ガス温度検出器２０１の温度が設定温度以上になった場合にのみ作動し、改質温度制御手段２００で演算された設定流量の冷却用媒体である空気が流され、燃焼ガスが所定の温度にまで冷却される。すなわち、改質温度制御手段２００は、燃焼ガス温度検出器２０１からの入力値Ｔｇと、予め設定された基準燃焼ガス温度ＴＲｇとの差、ΔＴｇ（＝Ｔｇ−ＴＲｇ）を算出する。
【００５６】
そして、ΔＴｇと、改質触媒層出口部温度検出器２０２からの出力信号Ｔｒｃおよびその他の情報、例えば空気８の流量信号Ｆａｒｍ、燃料流量、電流等から、燃焼ガス温度調節部２９に流す冷却空気７１の流量を演算して推定し、燃焼ガス温度調節部２９の冷却空気７１の供給元で、かつ流量調節部を有する冷却空気ブロア１０８に流量指令値ＦＣ３を送り、燃焼ガス温度調節部２９を流れる燃焼ガス２１Ｂの熱交換量を制御する。
【００５７】
上記の場合、従来の方法では、空気８の流量を設計値よりも増加させて燃焼ガス温度を低下させることになるが、空気８の流量の変化は、セルの発電出力およびセルの発熱量や燃焼ガス流量、燃焼室１４内の燃焼ガス温度を変化させることになる。特に、燃焼ガス流量の変化は、下流のプリ改質器７の改質反応に影響を及ぼす。すなわち、燃焼ガス流量の変化が改質触媒２５を通過する燃焼ガスの滞留時間や伝熱に影響を及ぼすため改質率の制御が一層複雑になるという問題が生じる。本発明の実施例においては、燃焼ガス流量を変えずに温度調整ができるため、このような影響を受けず、改質率の制御が容易で信頼性の高いものとすることができ、ひいてはセル温度の安定化を実現できる。
【００５８】
さらに、従来の方法では、カソード２に供給される空気８の流量は、運転出力やセル温度の状態によって変化するが、もし設計値よりも燃焼ガス流量あるいは燃焼ガス温度が低い場合には、空気予熱器９にカソード２に供給する空気が全量流れると熱交換量が増え、燃焼ガス温度が所定温度以下に低下する場合が生じる。カソード供給空気量を減らせば、燃焼ガス温度の低下は抑制できるが、空気流量が変化することにより、セルの発熱量や燃焼ガスの流量および温度が変化するとともに、改質温度も影響を受ける。このため、制御自体が非常に複雑になる。
【００５９】
本発明では、上記の場合に、バイパス空気系統８２に空気８を分岐することにより、空気予熱器９での燃焼ガスとの熱交換量を制御することができる。バイパス系統８２を流れる空気は、空気予熱器９を通過した予熱空気３１Ｂと合流して空気ヘッダー１６に送られる。バイパス流量の制御は、改質温度制御手段２００からの指令ＳＯによりバイパス系統８２に設けられた流量調節弁８３の開度を調節することにより行う。カソード２に供給される空気１５の流量は変化せず、空気ヘッダー１６の温度が変わるだけであり、燃焼ガス流量は変化しないため、改質温度の制御が容易になる利点がある。
【実施例２】
【００６０】
図３は、本発明による固体酸化物形燃料電池発電システムの第二の実施例であり、第一の実施例では述べていない燃料改質の前処理プロセスおよびコジェレーションシステムを考慮したものである。
【００６１】
電池モジュール５から空気予熱器９またはプリ改質器７までの構成要素は、実施例１と同様であるため、説明は省略する。
【００６２】
本システムは、燃焼ガス２３の流れ方向でプリ改質器７の下流側に沿って、順に原料予熱器５０、蒸発器５１および排熱回収熱交換器５２を備えている。原料予熱器５０は、プリ改質器７での改質反応が円滑に進行するように、水蒸気５５Ａと燃料６Ａとの混合ガス６Ｃを４００℃〜５００℃程度にまで予熱するため、プリ改質器７の燃焼ガス流路２６を出た燃焼ガス２１Ｃと混合ガス６Ｃとの熱交換が行われる。
【００６３】
蒸発器５１は、純水５５から水蒸気５５Ａを生成する。蒸発に必要な熱は、原料予熱器５０の燃焼ガス流路２６Ａを出た燃焼ガス２１Ｄとの熱交換によって得られる。
【００６４】
排熱回収熱交換器５２は、燃料電池からの燃焼ガス２１Ｅの排熱を回収して水道水５３から温水５４を生成する熱交換器であり、燃料電池コジェネレーションシステムにおいて重要な役割を担う機器である。この場合に、温水５４は水蒸気であってもよい。
【００６５】
本発明では、空気予熱器９の予熱空気温度調節部２８および燃焼ガス温度調節部２９にて熱を回収した冷却用媒体である冷却空気７０、７１を、排熱回収熱交換器５２の手前の合流部５６にて燃焼ガス２１Ｅと混合させるものであり（図中、※１で配管接続を示す）、空気予熱器９において冷却により得た熱を排熱回収熱交換器５２にて回収することにより、排熱回収効率を向上させ、総合熱効率を向上させるものである。合流部５６は、燃焼ガス２１Ｂ、２１Ｃまたは２１Ｄが流れる、プリ改質器７、原料予熱器５０または蒸発器５１の上流側でもよいが、図３に示す位置にすることが望ましい。これは、上流である蒸発器５１、原料予熱器５０およびプリ改質器７等へ影響を及ぼさないからである。すなわち、上流部に合流させた場合、燃焼ガスの流量や温度が変化することから、受熱側すなわち原燃料や水蒸気等の温度に影響を及ぼし、温度制御が複雑になる傾向がある。本図に示す位置に合流部５６を設置した場合、温水温度に影響を与えるのみであり、燃料電池発電システムの制御に関して非常に有利な位置といえる。
【実施例３】
【００６６】
以下、具体的な空気予熱器構造の一つの形態である熱交換器の実施例を説明する。
【００６７】
図４は、空気および燃焼ガスの流れが熱交換器の中で直交する多段プレート型熱交換器の仕様を有する空気予熱器の模式平面図を示したものである。
【００６８】
本図において、空気予熱器９に流入する空気３１Ａおよび燃焼ガス２１Ａは、予熱部２７の熱交換器の中で直交して流れる。燃焼ガス２１Ａは、入口ダクト６０Ａから流入し、燃焼ガス入口マニホールド６１Ａから予熱部２７に送られる。予熱部２７は、多段のプレートタイプの熱交換器である。入口マニホールド６１Ａによって、燃焼ガス２１Ａが各プレートにほぼ均一に分配して供給される。一方、空気３１Ａは、入口空気配管６２Ａを通って入口マニホールド６３Ａに入り、予熱部２７の各プレートにほぼ均一に分配される。
【００６９】
予熱部２７で熱交換された燃焼ガス２１Ｂは、隣接する燃焼ガス温度調節部２９に入る。本実施例において、燃焼ガス温度調節部２９は、フィンチューブ型の熱交換器である。予熱部２７と燃焼ガス温度調節部２９との間には仕切り板７６がある。仕切り板７６は、断熱材で覆われている。
【００７０】
また、仕切り板７６には、燃焼ガス２１Ｂが通過するための開口部（図示せず）が設けられている。燃焼ガス温度調節部２９の内部には、燃焼ガス２１Ｂを効率よく冷却するためのフィン付き冷却管（図示せず）が設置してあり、冷却空気７１が入口配管６６Ａを通り、入口マニホールド６７Ａに入るようになっている。入口マニホールド６７Ａには、複数の冷却管が設置してあり、冷却空気７１Ａがその冷却管の中を通過しながら燃焼２１Ｂを冷却し、出口マニホールド６８を介して出口配管６９に送られるようになっている。
【００７１】
一方、予熱された空気３１Ｂは、予熱部２７を出た後、隣接する予熱空気温度調節部２８に入る。予熱空気温度調節部２８も燃焼ガス温度調節部２９と同様に、フィンチューブ型の熱交換器構造となっている。予熱部２７で予熱された空気３１Ｂは、予熱空気温度調節部２８に入る。予熱部２７と予熱空気温度調節部２８との間には仕切り板７７がある。仕切り板７７は、断熱材で覆われている。また、仕切り板７７には、予熱された空気３１Ｂが通過するための開口部（図示せず）が設けられている。予熱空気温度調節部２８内部には、予熱された空気３１Ｂを効率よく冷却するためのフィン付き冷却管（図示せず）が設置してある。冷却空気７０は、入口配管６４Ａを通り、入口マニホールド６５Ａに入る。入口マニホールド６５Ａには、複数の冷却管が設置してあり、冷却空気７０Ａがその冷却管の中を通過しながら空気３１Ｂを冷却し、出口ヘッダー６８から出口配管６９に送られ、冷却空気出口ガス７５となって排出されるようになっている。なお、出口ヘッダー６８および出口配管６９は、冷却空気７１Ａと共有されていて、構造の簡略化を図っている。
【実施例４】
【００７２】
図５Ａ〜５Ｅに空気予熱器９の他の実施例を示す。
【００７３】
図５Ａは、空気予熱器９の全体を示す平面図である。本図において、空気３１Ａおよび燃焼ガス２１Ａは、予熱部２７の中で対向して流れるようになっている。予熱部２７の内部は、多段プレート型熱交換器となっている。図５Ｂは、図５ＡにおけるＡ−Ａ’断面図を示したものであり、図５Ｃは、図５ＢにおけるＢ−Ｂ’断面図を示したものである。また、図５Ｄは、図５Ａの斜視図であり、図５Ｅは、図５ＤにおけるＣ−Ｃ’断面図である。
【００７４】
本実施例の場合、内部構造が若干複雑になるが、出口温度に分布がつきにくく、均一な温度になり易い利点がある。
【００７５】
図５Ａにおいて、予熱部２７の空気３１Ｂの流れを破線矢印で示す。入口空気配管６２Ａから入口マニホールド６３Ａに入った空気３１Ａは、予熱部２７の入口ヘッダー９０Ａに送られる。入口ヘッダー９０Ａは、プレート枠５０３（図５Ｂに示す）およびヘッダー壁９１Ａによって形成されている。ヘッダー壁９１Ａには、空気開口部５１２が設置してあり、入口ダクト６０Ａおよび入口マニホールド６１Ａを通る燃焼ガス２１Ａと対向して流れるようになっている。
【００７６】
予熱部２７で予熱された空気３１Ｂは、出口ヘッダー９０Ｂに送られる。出口ヘッダー９０Ｂは、プレート枠５０３（図５Ｂに示す）とヘッダー壁９１Ｂによって形成されている。ヘッダー壁９１Ｂには空気開口部５１３が設置されていて、この空気開口部５１３を通して空気３１Ｂが出口ヘッダー９０Ｂに入るようになっている。出口ヘッダー９０Ｂにて各プレートからの予熱空気３１Ｂが合流する。合流した予熱空気３１Ｃは、隣接する出口空気マニホールド６３Ｂに送られ、出口空気配管６２Ｂを通って予熱空気３０となる。
【００７７】
なお、出口空気マニホールド６３Ｂの内部には、予熱された空気を効率よく冷却するためのフィン付き冷却管（図５Ｄ、５Ｅにて説明）が備えてある。そして、出口空気マニホールド６３Ｂは、ヘッダーの機能と予熱空気温度調節部２８としての熱交換器（冷却器）の機能とを併せ持つ。
【００７８】
図５Ｂにおいて、プレート型熱交換器である予熱部２７の燃焼ガス流路５０１および空気流路５０２を示す。燃焼ガス流路５０１と空気流路５０２とは、プレート枠５０３によって区分けされている。本図においては、空気流路５０２に波型のフィン５０４を設けてある。なお、この形状は本実施例に限定されるものではなく、燃焼ガス流路５０１にフィンを設けてもよい。
【００７９】
図５Ｃにおいて、プレート型熱交換器である予熱部２７の空気流路５０２の詳細を示す。本図においては、入口ヘッダー９０Ａと出口ヘッダー９０Ｂとの間に、ヘッダー壁９１Ａ、フィン５０４を有する空気流路５０２、およびヘッダー壁９１Ｂを設置してある。そして、ヘッダー壁９１Ａ、９１Ｂには、空気開口部５１２、５１３が設置してあり、空気は、入口ヘッダー９０Ａ、ヘッダー壁９１Ａ、空気流路５０２、ヘッダー壁９１Ｂおよび出口ヘッダー９０Ｂを通過するようになっている。
【００８０】
図５Ｄにおいて図５Ａの斜視図を示すとともに、図５Ｅにおいて図５ＤのＣ−Ｃ’断面図を示すことにより、予熱空気温度調節部２８（出口空気マニホールド）の構成を説明する。本図において、予熱空気温度調節部２８の上部には、冷却入口配管６４Ａとそれに続く冷却空気入口ヘッダー６５Ａとが備えてあり、冷却空気７０が導入されるようになっている。導入された冷却空気７０は、図５Ｅに示すフィン５２２を有する空気流路５２１を流れ、図５Ａに示す予熱空気３１Ｃを冷却した冷却空気７０は、冷却空気出口ヘッダー６５Ｂおよび出口冷却配管６４Ｂを通って出口冷却空気７２となって排出される。予熱空気３１Ｃは、予熱空気温度調節部２８（出口空気マニホールド）において、積層されたフィン５２２の間を通過して図５Ｄに示す出口空気配管６２Ｂに送られ、予熱空気３０となる。すなわち、予熱空気３１Ｃと冷却空気７０とは、直交型の熱交換器において熱交換が行われるようになっている。
【００８１】
一方、燃焼ガス２１Ａは、入口ダクト６０Ａを通って入口マニホールド６１Ａに入り、ここで予熱部２７の燃焼ガス流路５０１に分配される。そして、燃焼ガス２１Ａは、予熱部２７において対向して流れる予熱空気３１Ｂと熱交換して冷却され、燃焼ガス温度調節部２９に入る。燃焼ガス温度調節部２９は直交型の熱交換器であり、導入された燃焼ガス２１Ａは、冷却用媒体である空気７１と熱交換して出口マニホールド６１Ｂおよび出口ダクト６０Ｂを通過して燃焼ガス２３となる。
【００８２】
直交流型か対向流型かの選定は、システム全体のレイアウト、スペース等の条件を考慮して行うべきことであり、上記の実施例に限定されるものではない。なお、本発明では、空気予熱器、予熱空気温度調節部および燃焼ガス温度調節部を一体化した実施例を示したが、スペースに余裕がある場合、必ずしも一体化しないで各温度調節部を空気予熱器と切り離し、個別に設けても本発明の作用を損なうものではない。
【００８３】
本発明は、燃料電池の定常運転時だけでなく、燃料の流量または品質などが変動する負荷変動時、あるいは消費電力の変動などに伴う出力調整時にも適用可能である。
【００８４】
または、本発明は、大容量型の燃料電池だけでなく、家庭用、車載用などにも適用可能である。
【図面の簡単な説明】
【００８５】
【図１】本発明による燃料電池発電システムの第一の実施例を示すシステム構成図である。
【図２】本発明による燃料電池発電システムの第一の実施例において本発明の温度制御手段を示す全体構成図である。
【図３】本発明による燃料電池発電システムの第二の実施例を示すシステム構成図である。
【図４】本発明による燃料電池発電システムの空気予熱器の一実施例を示す平面図である。
【図５Ａ】本発明による燃料電池発電システムにおける空気予熱器の他の実施例を示す平面図である。
【図５Ｂ】図５ＡにおけるＡ−Ａ’断面図である。
【図５Ｃ】図５ＢにおけるＢ−Ｂ’断面図である。
【図５Ｄ】本発明による燃料電池発電システムの空気予熱器の一実施例を示す斜視図である。
【図５Ｅ】図５ＤにおけるＣ−Ｃ’断面図である。
【符号の説明】
【００８６】
４：円筒セル、５：電池モジュール、７：プリ改質器、８：空気、９：空気予熱器、１６：空気ヘッダー、２１：燃焼ガス、２７：予熱部、２８：予熱空気温度調節部、２９：燃焼ガス温度調節部、３１：空気、５２：排熱回収熱交換器、７０、７１：冷却空気、８２：バイパス系統、８３：流量調節弁、１００：セル温度制御手段、２００：改質温度制御手段。
【図１】
0005220445.tif 000002
【図２】
0005220445.tif 000003
【図３】
0005220445.tif 000004
【図４】
0005220445.tif 000005
【図５Ａ】
0005220445.tif 000006
【図５Ｂ】
0005220445.tif 000007
【図５Ｃ】
0005220445.tif 000008
【図５Ｄ】
0005220445.tif 000009
【図５Ｅ】
0005220445.tif 000010